(57)【要約】【課題】水生生物にかかるストレスを低減させた照明装置及びアクアリウムを提供する。【解決手段】照明装置１００は、水槽２００の内部を照明する照明装置１００であって、水槽２００の内部で所定の水中環境を再現する光を発光する少なくとも１つの発光装置１０と、発光装置１０を制御する制御装置２０と、を備える。【選択図】図１Ａ
2020184411.tif 000002
【特許請求の範囲】
【請求項１】
水槽の内部を照明する照明装置であって、
前記水槽の内部で所定の水中環境を再現する光を発光する少なくとも１つの発光装置と、
前記発光装置を制御する制御装置と、
を備える照明装置。
【請求項２】
前記所定の水中環境は、水深によって特定される、
請求項１に記載の照明装置。
【請求項３】
前記所定の水中環境は、太陽光及び月光の少なくとも一方に照らされている環境を含む、
請求項１又は２に記載の照明装置。
【請求項４】
前記制御装置は、前記水槽の内部に生息する水生生物の種類に基づいて、前記所定の水中環境を決定する、
請求項１から３のいずれか一項に記載の照明装置。
【請求項５】
前記水生生物は、熱帯魚、コイ、アロワナ、メダカ、エビ、金魚またはサンゴの少なくとも１つである、
請求項４に記載の照明装置。
【請求項６】
前記発光装置は、
３６０ｎｍ〜４３０ｎｍの波長領域にピーク波長を有する光を発光する発光素子と、
前記発光素子が発光する光を、３６０ｎｍ〜７８０ｎｍの波長領域にピーク波長を有する光に変換する波長変換部材と、
を備える、請求項１から５のいずれか一項に記載の照明装置。
【請求項７】
前記発光装置の前記波長変換部材は、
透光性を有する部材と、
６００ｎｍ〜７００ｎｍの波長領域に第１ピーク波長を有する第１蛍光体、５００ｎｍ〜６００ｎｍの波長領域に第２ピーク波長を有する第２蛍光体、４５０ｎｍ〜５５０ｎｍの波長領域に第３ピーク波長を有する第３蛍光体、４００ｎｍ〜５００ｎｍの波長領域に第４ピーク波長を有する第４蛍光体、の少なくとも１つを含む蛍光体と、
を備える、請求項６に記載の照明装置。
【請求項８】
前記制御装置は、
前記所定の水中環境が、水深２ｍ〜８ｍで且つ太陽光に照らされている環境である場合、
３６０ｎｍ〜４３０ｎｍの波長領域に第１ピーク波長を有し、４３０ｎｍ〜４７５ｎｍの波長領域に第２ピーク波長を有し、４８０ｎｍ〜５３０ｎｍの波長領域に第３ピーク波長を有し、前記第１ピーク波長における光強度を１とした場合に、前記第２ピーク波長における相対光強度が１．０〜１．３であり、前記第３ピーク波長における相対光強度が１．０〜１．３である発光スペクトルの光を発光する第１発光装置に、駆動電流を供給する、
請求項１から７のいずれか一項に記載の照明装置。
【請求項９】
前記制御装置は、
前記所定の水中環境が、水深８ｍ〜３０ｍで且つ太陽光に照らされている環境である場合、
３６０ｎｍ〜４３０ｎｍの波長領域に第１ピーク波長を有し、４３０ｎｍ〜４７５ｎｍの波長領域に第２ピーク波長を有し、４９０ｎｍ〜５４０ｎｍの波長領域に第３ピーク波長を有し、前記第１ピーク波長における光強度を１とした場合に、前記第２ピーク波長における相対光強度が１．１〜１．４であり、前記第３ピーク波長における相対光強度が１．１〜１．４である発光スペクトルの光を発光する第２発光装置に、駆動電流を供給する、
請求項１から７のいずれか一項に記載の照明装置。
【請求項１０】
前記制御装置は、
前記所定の水中環境が、水深３０ｍ〜１００ｍで且つ太陽光に照らされている環境である場合、
３６０ｎｍ〜４３０ｎｍの波長領域に第１ピーク波長を有し、４８０ｎｍ〜５２０ｎｍの波長領域に第２ピーク波長を有し、前記第１ピーク波長における光強度を１とした場合に、前記第２ピーク波長における相対光強度が１．２以上である発光スペクトルの光を発光する第３発光装置に、駆動電流を供給する、
請求項１から７のいずれか一項に記載の照明装置。
【請求項１１】
前記制御装置は、
第１発光装置、第２発光装置、または第３発光装置に供給する駆動電流を、所定時間ごとに切り替える、
請求項１から１０のいずれか一項に記載の照明装置。
【請求項１２】
水槽と、
前記水槽の内部で所定の水中環境を再現する光を発光する少なくとも１つの発光装置と、
前記発光装置を制御する制御装置と、
を備えるアクアリウム。
【請求項１３】
前記発光装置は、
前記水槽の上部に設けられる、
請求項１２に記載のアクアリウム。
【請求項１４】
前記水槽を開閉する蓋部材を更に備え、
前記蓋部材、前記水槽の側面、前記水槽の底面、の少なくとも１つにマジックミラーが設けられる、
請求項１２又は１３に記載のアクアリウム。
【請求項１５】
前記蓋部材、前記水槽の側面、前記水槽の底面、の全てにマジックミラーが設けられる、
請求項１４に記載のアクアリウム。
【発明の詳細な説明】
【技術分野】
【０００１】
本開示は、照明装置及びアクアリウムに関する。
【背景技術】
【０００２】
従来、４種類のＬＥＤを含むＬＥＤアレイと、ＬＥＤアレイの明るさを制御する制御回路と、を備える照明器具が、水槽の上部に取り付けられることで、鑑賞者に、水草の緑及び赤を自然に見せるアクアリウムが知られている（例えば、特許文献１参照）。
【先行技術文献】
【特許文献】
【０００３】
【特許文献１】特表２０１５−５２８９９３号公報
【発明の概要】
【発明が解決しようとする課題】
【０００４】
従来の照明装置は、鑑賞者に、水槽の内部をより良く見せるための機能が重視されていた。このため、水槽の内部に生息する水生生物に、適切な光が照射されない場合があり、ストレスがかかり易いという問題があった。
【０００５】
上記のような問題点に鑑みてなされた本開示の目的は、水生生物にかかるストレスを低減させた照明装置及びアクアリウムを提供することにある。
【課題を解決するための手段】
【０００６】
本開示の一実施形態に係る照明装置は、水槽の内部を照明する照明装置であって、前記水槽の内部で所定の水中環境を再現する光を発光す少なくとも１つの発光装置と、前記発光装置を制御する制御装置と、を備える。
【０００７】
本開示の一実施形態に係るアクアリウムは、水槽と、前記水槽の内部で所定の水中環境を再現する光を発光する複数の発光装置と、前記発光装置を制御する制御装置と、を備える。
【発明の効果】
【０００８】
本開示の一実施形態によれば、水中環境を考慮せず水槽内部に単に照明装置を設置する場合と比較して、自然な水中環境等を再現可能な状態とすることができるため、水生生物にかかるストレスを低減させることが可能となる。
【図面の簡単な説明】
【０００９】
【図１Ａ】一実施形態に係るアクアリウムの一例を示す外観斜視図である。
【図１Ｂ】一実施形態に係るアクアリウムの一例を示す外観斜視図である。
【図２】一実施形態に係るアクアリウムの一例を示す上面図である。
【図３Ａ】側面のマジックミラーで光が反射する構成の一例を示す図である。
【図３Ｂ】蓋部材のマジックミラーで光が反射する構成の一例を示す図である。
【図４】一実施形態に係る照明装置の一例を示す図である。
【図５】水深と発光スペクトルとの関係の一例を示す図である。
【図６】一実施形態に係る発光装置の一例を示す外観斜視図である。
【図７】図６に示す発光装置のＡ−Ａ断面図である。
【図８】図７に示す発光装置の一点鎖線の丸囲み部の拡大図である。
【図９】一実施形態に係る発光素子の発光スペクトルの一例を示す図である。
【図１０】一実施形態に係る発光装置が備える第１蛍光体、第２蛍光体、第３蛍光体、及び第４蛍光体それぞれの蛍光スペクトルの一例を示す図である。
【図１１】第１発光装置の発光スペクトル及び水深２ｍ〜８ｍにおける太陽光スペクトルの一例を示す図である。
【図１２】第２発光装置の発光スペクトル及び水深８ｍ〜３０ｍにおける太陽光スペクトルの一例を示す図である。
【図１３】第３発光装置の発光スペクトル及び水深３０ｍ〜１００ｍにおける太陽光スペクトルの一例を示す図である。
【発明を実施するための形態】
【００１０】
以下、本開示の実施形態について、図面を参照して説明する。以下の説明で用いられる図は模式的なものである。図面上の寸法比率などは現実のものとは必ずしも一致していない。
【００１１】
＜アクアリウムの構成＞
図１Ａ、図１Ｂ、図２、図３Ａ及び図３Ｂを参照して、本実施形態に係るアクアリウム１０００について説明する。
【００１２】
アクアリウム１０００は、水槽２００と、水槽２００の内部を照明する照明装置１００とを備える。アクアリウム１０００は、蓋部材３００をさらに備えてよい。アクアリウム１０００は、マジックミラー４００をさらに備えてよい。
【００１３】
アクアリウム１０００は、鑑賞者が水生生物２０００を鑑賞するために、例えば、家庭、オフィス、水族館、などに設置される設備である。水生生物２０００は、水中で生息可能な鑑賞用の水生生物を含んでよい。水生生物２０００は、例えば、熱帯魚、コイ、アロワナ、メダカ、エビ、金魚、またはサンゴ、などを含んでよい。
【００１４】
照明装置１００は、複数の発光装置１０と、制御装置２０と、配線基板３０とを備える。複数の発光装置１０は、水槽２００の内部で所定の水中環境を再現する光を発光する。制御装置２０は、例えば、鑑賞者によって、手動操作されて、少なくとも１つの発光装置１０を制御する。所定の水中環境は、水深によって特定される環境を含んでよい。所定の水中環境は、例えば、太陽光及び月光の少なくとも一方に照らされている環境を含んでよい。
【００１５】
配線基板３０は、複数の発光装置１０が実装されて、複数の発光装置１０と制御装置２０とを接続する。配線基板３０は、例えば、図１Ａに示すように、蓋部材３００に対して、平行に設けられていてもよい。配線基板３０が蓋部材３００に対して平行に設けられることで、複数の発光装置１０が発光する光を、例えば、水槽２００の側面に設けられるマジックミラー４００で効率的に反射させて、水生生物２０００に対して照射することができる。配線基板３０は、例えば、図１Ｂに示すように、蓋部材３００に対して、斜めに設けられていてもよい。配線基板３０が蓋部材３００に対して斜めに設けられることで、複数の発光装置１０が発光する光を、例えば、蓋部材３００に設けられるマジックミラー４００で効率的に反射させて、水生生物２０００に対して照射することができる。
【００１６】
水槽２００は、上部に開口を有し、内部に淡水又は海水などの液体を貯留するための空間を有している。水槽２００は、内部に貯留した液体の温度を制御するヒータ等の温度制御手段を有してよい。水槽２００は、内部に貯留した液体の温度を、例えば、５℃〜３０℃に制御してよい。液体は、上述の例に限られず種々の温度に制御されてよい。
【００１７】
水槽２００の形状は、特に限定されるものではなく、例えば、テーブル型、キューブ型、丸型、又は円柱型などの任意の形状であってよい。例えば、水槽２００の形状がテーブル型である場合、水槽２００は、底面２０１と、底面２０１に対して垂直に設けられる側面２０２、側面２０３、側面２０４及び側面２０５と、４つの脚と、を備えてよい。この場合、鑑賞者は、椅子などに腰をかけたままで、水槽２００の内部に生息する水生生物２０００を、水槽２００の上部から鑑賞することができる（図２参照）。
【００１８】
水槽２００は、光透過性を有する材料で形成される。光透過性を有する材料として、例えば、アクリル樹脂、若しくはエポキシ樹脂、などの樹脂材料、又は、石英ガラス、若しくはパイレックス（登録商標）ガラス、などのガラス材料、などが用いられてよい。水槽２００が光透過性を有する材料で形成されることで、鑑賞者は、水槽２００の内部に生息する水生生物２０００を、例えば、側面２０２〜２０５から鮮明に鑑賞することができる。
【００１９】
水槽２００は、底面２０１にマジックミラー４００を備えていてもよい。また、水槽２００は、側面２０２〜２０５の少なくとも１つの面にマジックミラー４００を備えていてもよい。また、水槽２００は、底面２０１及び側面２０２〜２０５における全ての面にマジックミラー４００を備えていてもよい（図３Ａ参照）。水槽２００が、底面２０１及び側面２０２〜２０５における全ての面にマジックミラー４００を備えることにより、複数の発光装置１０が発光する光を、水槽２００の外部に漏れにくくすることができる。このようにすることで、水槽２００がマジックミラー４００を備えない場合と比べて、照明装置１００による照明によって水槽２００の内部が明るくなりやすい。また、水槽２００がマジックミラー４００を備えることによって、水槽２００の内部から水槽２００の外部が見えにくくなる。水槽２００の外部の照明が暗くされている場合、水槽２００の外部はさらに見えにくくなる。このようにすることで、水生生物２０００は、水槽２００の外部を視認し難くなる。その結果、水生生物２０００にかかるストレスを低減させることができる。一方で、鑑賞者は、水槽２００の外部から水槽２００の内部をよく見ることができる。その結果、鑑賞者に対して、水生生物２０００をより鮮やかに見せることができる。
【００２０】
水槽２００は、液体の温度を測定する温度計、液体の塩分濃度を測定する塩分濃度計、などを更に備えていてもよい。
【００２１】
蓋部材３００は、水槽２００の上部に設けられる。蓋部材３００は、例えば、水槽２００の内部に貯留する液体の入れ替え、水槽２００の内部に生息する水生生物２０００の交換、などの際に開閉される。
【００２２】
蓋部材３００は、光透過性を有する材料で形成される。光透過性を有する材料として、例えば、アクリル樹脂、若しくはエポキシ樹脂、などの樹脂材料、又は、石英ガラス、若しくはパイレックスガラス、などのガラス材料、などが用いられてよい。水槽２００が光透過性を有する材料で形成されることで、鑑賞者は、水槽２００の内部に生息する水生生物２０００を、例えば、蓋部材３００の上部から鮮明に鑑賞することができる。
【００２３】
蓋部材３００は、表面３００Ａにマジックミラー４００を備えていてもよい（図３Ｂ参照）。蓋部材３００が、表面３００Ａにマジックミラー４００を備えることにより、マジックミラー４００に対して入射する光を、表面３００Ａで効率的に反射させることができる。これにより、水生生物２０００は、水槽２００の外部を視認し難くなるため、水生生物２０００にかかるストレスを低減させることができる。また、鑑賞者に対して、水生生物２０００をより鮮やかに見せることができる。
【００２４】
図３Ａ及び図３Ｂに示されるように、マジックミラー４００は、蓋部材３００、水槽２００の底面２０１、及び水槽２００の側面２０２〜２０５、の少なくとも１つに設けられてよい。マジックミラー４００は、蓋部材３００のみに設けられてもよい。また、マジックミラー４００は、水槽２００の底面２０１のみに設けられてもよい。また、マジックミラー４００は、水槽２００の側面２０２〜２０５のみに設けられてもよい。また、マジックミラー４００は、蓋部材３００、水槽２００の底面２０１、水槽２００の側面２０２〜２０５、の全てに設けられてもよい。マジックミラー４００は、蓋部材３００よりも内側に設けられてもよい。
【００２５】
マジックミラー４００は、入射する入射光の一部を反射させると共に入射光の一部を透過させ、入射光を反射光と透過光とに分離する光学部材である。マジックミラー４００は、図３Ａに示されているように水槽２００の側面に位置する場合、側面に向けて入射する光を水槽２００の内側に反射してよい。マジックミラー４００は、図３Ｂに示されているように水槽２００の蓋部材３００に位置する場合、蓋部材３００に向けて入射する光を水槽２００の内側に反射してよい。マジックミラー４００は、水槽２００の底面に入射する光を水槽２００の内側に反射してもよい。マジックミラー４００は、錫若しくは銀などのメッキ膜を形成するメッキ処理、又は、金属などの蒸着処理などにより、光透過性を有する材料に薄い反射膜が積層されることによって形成されてよい。マジックミラー４００は、反射膜の厚さに基づいて、反射光及び透過光の割合が適宜調整されうる。
【００２６】
マジックミラー４００は、可撓性を有していてもよい。マジックミラー４００が可撓性を有することで、水槽２００の形状に沿って、マジックミラー４００を密着させることが可能になる。
【００２７】
蓋部材３００、水槽２００の底面２０１、水槽２００の側面２０２〜２０５、の少なくとも１つに、マジックミラー４００を設ける際には、複数の発光装置１０が発光する光に対して、アクアリウム１０００の外部の明るさが適宜調整される。
【００２８】
本実施形態に係るアクアリウム１０００によれば、上述の照明装置１００が水槽２００の内部を照明する。これにより、水槽２００の内部で所定の水中環境が再現されるため、水槽２００に生息する水生生物２０００にかかるストレスを低減させることが可能になる。
【００２９】
照明装置１００が設置される位置は、図１Ａ等に例示されるように水槽２００の上部に限られない。照明装置１００は、水槽２００に生息する水生生物２０００に適切な光を照射可能な種々の位置に設置されてよい。例えば、照明装置１００は、水槽２００の側部に設置されていてもよいし、水槽２００の底部に設置されていてもよい。
【００３０】
＜照明装置の構成＞
図４をさらに参照して、本実施形態に係る照明装置１００の構成について詳細に説明する。
【００３１】
照明装置１００は、複数の発光装置１０と、制御装置２０と、配線基板３０と、を備える。発光装置１０は少なくとも１つあればよいが、複数の発光装置１０である場合には、第１発光装置１０−１と、第２発光装置１０−２と、第３発光装置１０−３と、を備える。発光装置１０が１つの場合には、第１発光装置１０−１と、第２発光装置１０−２と、第３発光装置１０−３のいずれかであり、ある特定の水中環境を再現することができる。そのとき、制御装置２０でその光の強度を制御することができる。制御装置２０は、ＡＣ−ＤＣ変換部２１と、駆動部２２と、制御部２３と、を備える。制御装置２０は、その構成が特に限定されるものではなく、発光装置１０を制御可能な公知の制御装置２０の構成を適用することができる。第１発光装置１０−１、第２発光装置１０−２、第３発光装置１０−３の個数は、単数であっても複数であってもよい。照明装置１００が複数の発光装置１０として備える発光装置１０の数は、３つに限られず、２つであってもよいし、４つ以上であってもよい。
【００３２】
複数の発光装置１０は、例えば、蓋部材３００の対向する２辺に実装されてよい（図２参照）。複数の発光装置１０は、蓋部材３００の対向する２辺に限定されず、例えば、蓋部材３００の全ての辺に実装されていてもよい。
【００３３】
複数の発光装置１０は、例えば、３ｍ以上２０ｍ以下の間隔で、配線基板３０に実装される。間隔が大きい程、発光装置１０の個数が減るため、発光装置１０と配線基板３０との間に生じる応力を抑え、発光装置１０と配線基板３０との剥離を生じ難くすることができる。間隔が小さい程、発光装置１０の個数が増えるため、実装密度を大きくし、複数の発光装置１０が発光する光の量を多くすることができる。
【００３４】
第１発光装置１０−１は、駆動部２２によって駆動制御される。第１発光装置１０−１は、水深２ｍ〜８ｍで太陽光に照らされている環境を、水槽２００の内部に再現する光を発光する。第１発光装置１０−１は、３６０ｎｍ〜４３０ｎｍの波長領域に第１ピーク波長λ１を有し、４３０ｎｍ〜４７５ｎｍの波長領域に第２ピーク波長λ２を有し、４８０ｎｍ〜５３０ｎｍの波長領域に第３ピーク波長λ３を有する発光スペクトルの光を発光してよい（図１１参照）。第１ピーク波長λ１における光強度を１とした場合に、第２ピーク波長λ２における相対光強度が１．０〜１．３である。第１ピーク波長λ１における光強度を１とした場合に、第３ピーク波長λ３における相対光強度が１．０〜１．３である。
【００３５】
第２発光装置１０−２は、駆動部２２によって駆動制御される。第２発光装置１０−２は、水深８ｍ〜３０ｍで太陽光に照らされている環境を、水槽２００の内部に再現する光を発光する。第２発光装置１０−２は、３６０ｎｍ〜４３０ｎｍの波長領域に第１ピーク波長λ１を有し、４３０ｎｍ〜４７５ｎｍの波長領域に第２ピーク波長λ２を有し、４９０ｎｍ〜５４０ｎｍの波長領域に第３ピーク波長λ３を有する発光スペクトルの光を発光してよい（図１２参照）。第１ピーク波長λ１における光強度を１とした場合に、第２ピーク波長λ２における相対光強度が１．１〜１．４である。第１ピーク波長λ１における光強度を１とした場合に、第３ピーク波長λ３における相対光強度が１．１〜１．４である。
【００３６】
第３発光装置１０−３は、駆動部２２によって駆動制御される。第３発光装置１０−３は、水深３０ｍ〜１００ｍで太陽光に照らされている環境を、水槽２００の内部に再現する光を発光する。第３発光装置１０−３は、３６０ｎｍ〜４３０ｎｍの波長領域に第１ピーク波長λ１を有し、４８０ｎｍ〜５２０ｎｍの波長領域に第２ピーク波長λ２を有する発光スペクトルの光を発光してよい（図１３参照）。第１ピーク波長λ１における光強度を１とした場合に、第２ピーク波長λ２における相対光強度が１．２以上である。
【００３７】
制御装置２０は、水槽２００の内部に生息する水生生物２０００の種類に基づいて、所定の水中環境を決定し、複数の発光装置１０を制御する。
【００３８】
制御装置２０は、第１発光装置１０−１に駆動電流を供給する場合、第２発光装置１０−２及び第３発光装置１０−３に駆動電流を供給しない。これにより、第１発光装置１０−１は、水槽２００の内部で水深２ｍ〜８ｍで太陽光に照らされている環境を再現する光を発光することができる。制御装置２０は、第２発光装置１０−２に駆動電流を供給する場合、第１発光装置１０−１及び第３発光装置１０−３に駆動電流を供給しない。これにより、第２発光装置１０−２は、水槽２００の内部で水深８ｍ〜３０ｍで太陽光に照らされている環境を再現する光を発光することができる。制御装置２０は、第３発光装置１０−３に駆動電流を供給する場合、第１発光装置１０−１及び第２発光装置１０−２に駆動電流を供給しない。これにより、第３発光装置１０−３は、水槽２００の内部で水深３０ｍ〜１００ｍで太陽光に照らされている環境を再現する光を発光することができる。
【００３９】
制御装置２０は、第１発光装置１０−１、第２発光装置１０−２、又は第３発光装置１０−３に供給する駆動電流の大きさを、所定時間ごとに切り替えてよい。例えば、制御装置２０は、第１発光装置１０−１、第２発光装置１０−２、又は第３発光装置１０−３に供給する駆動電流の大きさを、１時間ごとに切り替えながら、各発光装置１０を調光制御してよい。これにより、複数の発光装置１０のそれぞれが発光する光を、自然光により近づけることが可能になる。また、例えば、制御装置２０は、第１発光装置１０−１、第２発光装置１０−２、又は第３発光装置１０−３に供給する駆動電流の大きさを、１２時間ごとに切り替えながら、各発光装置１０を点灯又は消灯制御してよい。これにより、水槽２００の内部で、昼の環境と夜の環境とを再現することが可能になる。また、制御装置２０は、各発光装置１０が発光する光の強度を変化させる際に、変化の前後における強度の差を所定値以下に制限してよい。これにより、水生生物２０００が光の強度の変化によるストレスを感じにくくなる。また、制御装置２０は、各発光装置１０が発光する光の強度を大きくする場合の変化率と、小さくする場合の変化率とを異ならせてもよい。変化率は、単位時間当たりの光の強度の変化量で表されるとする。光の強度を大きくする場合の変化率の絶対値は、光の強度を小さくする場合の変化率の絶対値よりも小さくされてもよい。また、制御装置２０は、各発光装置１０が発光する光の強度を、太陽の高度に合わせて変化させてよい。制御装置２０は、各発光装置１０が発光する光の強度を、例えば、午前６時から午前１１時までの間に徐々に大きくしていき、午前１１時から午後１時までの間に最大値に保ち、午後１時から午後６時までの間に徐々に小さくしてもよい。光の強度を一定時間に保つ時間は、適宜設定されてよい。制御装置２０は、太陽の高度に合わせて、各発光装置１０が発光する光のスペクトルを変化させてもよい。制御装置２０は、例えば、日の出の前後１時間、及び、日没の前後１時間において、各発光装置１０が発光する光の短波長側（青色側）の波長の相対光強度を低下させてもよい。
【００４０】
ＡＣ−ＤＣ変換部２１は、交流電源１から入力される交流電力を直流電力へと変換し、駆動部２２へと出力する。ＡＣ−ＤＣ変換部２１は、例えば、整流部、電圧調整部、入力電圧検出部、又は出力電圧検出部、などを備えていてよい。
【００４１】
駆動部２２は、第１の駆動回路２２−１と、第２の駆動回路２２−２と、第３の駆動回路２２−３と、を備える。第１の駆動回路２２−１、第２の駆動回路２２−２、及び第３の駆動回路２２−３は、例えば、インダクタ、ダイオード、キャパシタ、などを備える公知のＤＣ／ＤＣコンバータを含んでよい。
【００４２】
駆動部２２は、制御部２３から入力される制御信号に基づいて、ＡＣ−ＤＣ変換部２１から入力される直流電圧を、複数の発光装置１０に応じた駆動電流へと変換し、複数の発光装置１０へと所定の駆動電流を供給する。駆動部２２は、例えば、専用ケーブルなどによって、複数の発光装置１０と接続されている。
【００４３】
第１の駆動回路２２−１は、制御部２３から入力される制御信号に基づいて、第１発光装置１０−１に駆動電流を供給し、第１発光装置１０−１の点灯又は消灯、或いは、調光又は調色を制御する。第１の駆動回路２２−１が、第１発光装置１０−１を適切に駆動制御することで、第１発光装置１０−１は、水深２ｍ〜８ｍで太陽光に照らされている環境を、水槽２００の内部に再現する光を発光することができる。
【００４４】
第２の駆動回路２２−２は、制御部２３から入力される制御信号に基づいて、第２発光装置１０−２に駆動電流を供給し、第２発光装置１０−２の点灯又は消灯、或いは、調光又は調色を制御する。第２発光装置１０−２が、第２発光装置１０−２を適切に駆動制御することで、第２発光装置１０−２は、水深８ｍ〜３０ｍで太陽光に照らされている環境を、水槽２００の内部に再現する光を発光することができる。
【００４５】
第３の駆動回路２２−３は、制御部２３から入力される制御信号に基づいて、第３発光装置１０−３に駆動電流を供給し、第３発光装置１０−３の点灯又は消灯、或いは、調光又は調色を制御する。第３発光装置１０−３が、第３発光装置１０−３を適切に駆動制御することで、第３発光装置１０−３は、水深３０ｍ〜１００ｍで太陽光に照らされている環境を、水槽２００の内部に再現する光を発光することができる。
【００４６】
制御部２３は、例えば、アナログ回路、デジタル回路、若しくはマイコン、又は、これらの組み合わせで構成され、制御装置２０が備える各部の動作を制御する。制御部２３は、記憶部などを更に備えていてもよく、記憶部には、制御部２３が各種処理を実行するために必要な各種プログラム又は各種の情報、などが記憶される。制御部２３は、図４に示すように、ＡＣ−ＤＣ変換部２１及び駆動部２２と別々に構成されていてもよいし、ＡＣ−ＤＣ変換部２１及び駆動部２２と組み合わされて構成されていてもよい。
【００４７】
制御部２３は、水槽２００の内部に生息する水生生物２０００の種類に基づいて、所定の水中環境を決定してよい。制御部２３は、決定した水中環境を再現するための光を照明装置１００から発光できるように、複数の発光装置１０を制御してよい。制御部２３は、例えば、水槽２００の内部に生息する水生生物２０００の種類がメダカである場合、所定の水中環境を、水深２ｍ〜８ｍで太陽光に照らされている環境に決定し、制御信号を第１の駆動回路２２−１へと出力する。制御部２３は、例えば、水槽２００の内部に生息する水生生物２０００の種類がサンゴである場合、所定の水中環境を、水深８ｍ〜３０ｍで太陽光に照らされている環境に決定し、制御信号を第２の駆動回路２２−２へと出力する。制御部２３は、例えば、水槽２００の内部に生息する水生生物２０００の種類がエビである場合、所定の水中環境を、水深３０ｍ〜１００ｍで太陽光に照らされている環境に決定し、制御信号を第３の駆動回路２２−３へと出力する。
【００４８】
配線基板３０は、例えば、リジッド基板、フレキシブル基板またはリジッドフレキシブル基板などのプリント基板が用いられてよい。配線基板３０が備える配線と、複数の発光装置１０が備える基板の配線とは、例えば、半田または導電性接着剤を介して、電気的に接続されてよい。
【００４９】
配線基板３０は、その形状が、特に限定されるものではなく、蓋部材３００に沿った形状であってよい。配線基板３０は、例えば、円形状、楕円形状、矩形状、又は正方形状、など種々の形状であってよい。
【００５０】
上述のように、制御装置２０が、複数の発光装置１０を適切に制御することで、複数の発光装置１０は、水槽２００の内部で所定の水中環境を再現する光を発光することができる。これにより、水生生物２０００にかかるストレスを低減させることができる。
【００５１】
＜水深と発光装置の発光スペクトルとの関係＞
次に、図５を参照して、水深と、複数の発光装置１０が発光する発光スペクトルと、の関係について説明する。
【００５２】
水槽２００の内部において、水深２ｍ〜８ｍで太陽光に照らされている海中環境Ａ１が再現される場合、第１発光装置１０−１は、グラフＢ１に示す発光スペクトルの光を発光する（図１１参照）。海中環境Ａ１は、例えば、メダカなどの水生生物２０００にとって適切な環境である。
【００５３】
グラフＢ１に示す発光スペクトルは、３６０ｎｍ〜４３０ｎｍの波長領域に第１ピーク波長λ１を有し、４３０ｎｍ〜４７５ｎｍの波長領域に第２ピーク波長λ２を有し、４８０ｎｍ〜５３０ｎｍの波長領域に第３ピーク波長λ３を有する。また、グラフＢ１に示す発光スペクトルは、第１ピーク波長λ１における光強度を１とした場合に、第２ピーク波長λ２における相対光強度が１．０〜１．３であり、第３ピーク波長λ３における相対光強度が１．０〜１．３である。
【００５４】
水槽２００の内部において、水深８ｍ〜３０ｍで太陽光に照らされている海中環境Ａ２が再現される場合、第２発光装置１０−２は、グラフＢ２に示す発光スペクトルの光を発光する（図１２参照）。海中環境Ａ２は、例えば、サンゴなどの水生生物２０００にとって適切な環境である。
【００５５】
グラフＢ２に示す発光スペクトルは、３６０ｎｍ〜４３０ｎｍの波長領域に第１ピーク波長λ１を有し、４３０ｎｍ〜４７５ｎｍの波長領域に第２ピーク波長λ２を有し、４９０ｎｍ〜５４０ｎｍの波長領域に第３ピーク波長λ３を有する。また、グラフＢ２に示す発光スペクトルは、第１ピーク波長λ１における光強度を１とした場合に、第２ピーク波長λ２における相対光強度が１．１〜１．４であり、第３ピーク波長λ３における相対光強度が１．１〜１．４である。
【００５６】
水槽２００の内部において、水深３０ｍ〜１００ｍで太陽光に照らされている海中環境Ａ３が再現される場合、第３発光装置１０−３は、グラフＢ３に示す発光スペクトルの光を発光する（図１３参照）。海中環境Ａ３は、例えば、エビなどの水生生物２０００にとって適切な環境である。
【００５７】
グラフＢ３に示す発光スペクトルは、３６０ｎｍ〜４３０ｎｍの波長領域に第１ピーク波長λ１を有し、４８０ｎｍ〜５２０ｎｍの波長領域に第２ピーク波長λ２を有する。また、グラフＢ３に示す発光スペクトルは、第１ピーク波長λ１における光強度を１とした場合に、第２ピーク波長λ２における相対光強度が１．２以上である。
【００５８】
上述のように、各種の水生生物２０００は、水槽２００の内部であっても、水深に応じて、海中と略同様の環境に生息することができる。これにより、水生生物２０００にかかるストレスを低減させることが可能となる。
【００５９】
＜発光装置の構成＞
図６から図１０までを参照して、本実施形態に係る発光装置１０について詳細に説明する。発光装置１０は、上述の照明装置１００に少なくとも１つ搭載される。
【００６０】
発光装置１０は、素子基板２と、複数の発光素子３と、枠体４と、封止部材５と、波長変換部材６と、を備える。
【００６１】
素子基板２は、例えば、絶縁性を有する材料で形成されてよい。素子基板２は、例えば、アルミナ若しくはムライトなどのセラミック材料、ガラスセラミック材料、又は、これらの材料のうち複数の材料を混合した複合系材料などで形成されてよい。素子基板２は、熱膨張を調整することが可能な金属酸化物微粒子を分散させた高分子樹脂材料などで形成されてもよい。
【００６２】
素子基板２は、素子基板２の主面２Ａ又は素子基板２の内部に、素子基板２と配線基板３０とを電気的に導通する配線導体を備えてよい。配線導体は、例えば、タングステン、モリブデン、マンガン、又は銅などの導電材料で形成されてよい。配線導体は、例えば、タングステンの粉末に有機溶剤が添加された金属ペーストを、素子基板２となるセラミックグリーンシートに所定パターンで印刷し、複数のセラミックグリーンシートを積層して、焼成することにより形成されてよい。配線導体は、酸化防止のために、その表面に、例えば、ニッケル又は金などのめっき層が形成されてよい。
【００６３】
素子基板２は、発光素子３が発光する光を効率良く外部へと放出させるため、配線導体、及びめっき層と間隔を空けて、金属反射層を備えてもよい。金属反射層は、例えば、アルミニウム、銀、金、銅又はプラチナなどの金属材料で形成されてよい。
【００６４】
複数の発光素子３は、素子基板２の主面２Ａ上に実装される。複数の発光素子３は、素子基板２に設けられる配線導体の表面に被着するめっき層上に、例えば、ろう材又は半田などを介して、電気的に接続される。素子基板２の主面２Ａ上に実装される発光素子３の個数は、特に限定されるものではない。
【００６５】
発光素子３は、例えば、ＬＥＤ（light emitting diode）である。ＬＥＤは、Ｐ型半導体とＮ型半導体とが接合されたＰＮ接合中で、電子と正孔とが再結合することによって、外部へと光を発光する。発光素子３は、ＬＥＤに限られず、他の発光デバイスであってもよい。
【００６６】
発光素子３は、透光性基体と、透光性基体上に形成される光半導体層とを含んでよい。透光性基体は、例えば、有機金属気相成長法、又は分子線エピタキシャル成長法などの化学気相成長法を用いて、その上に光半導体層を成長させることが可能な材料を含む。透光性基体は、例えば、サファイア、窒化ガリウム、窒化アルミニウム、酸化亜鉛、セレン化亜鉛、シリコンカーバイド、シリコン（Ｓｉ）、又は二ホウ化ジルコニウムなどで形成されてよい。透光性基体の厚みは、例えば、５０μｍ以上１０００μｍ以下であってよい。
【００６７】
光半導体層は、透光性基体上に形成される第１半導体層と、第１半導体層上に形成される発光層と、発光層上に形成される第２半導体層とを含んでよい。第１半導体層、発光層、及び第２半導体層は、例えば、ＩＩＩ族窒化物半導体、ガリウム燐若しくはガリウムヒ素などのＩＩＩ−Ｖ族半導体、又は、窒化ガリウム、窒化アルミニウム若しくは窒化インジウムなどのＩＩＩ族窒化物半導体などで形成されてよい。
【００６８】
第１半導体層の厚みは、例えば、１μｍ以上５μｍ以下であってよい。発光層の厚みは、例えば、２５ｎｍ以上１５０ｎｍ以下であってよい。第２半導体層の厚みは、例えば、５０ｎｍ以上６００ｎｍ以下であってよい。
【００６９】
図９は、発光素子３の発光スペクトルの一例を示す図である。図９のグラフにおいて、横軸及び縦軸はそれぞれ、発光素子３が発光する光の波長及び相対光強度を表している。相対光強度は、ピーク波長における光強度を１とした場合に、ピーク波長における光強度に対する光強度の比として表される。図９のグラフによれば、発光素子３は、３６０ｎｍ〜４３０ｎｍの波長領域にピーク波長を有する光を発光する。３６０ｎｍ〜４３０ｎｍの波長領域は、可視光領域に含まれる。３６０ｎｍ〜４３０ｎｍの波長領域は、紫色光領域ともいう。
【００７０】
枠体４は、例えば、酸化アルミニウム、酸化チタン、酸化ジルコニウム又は酸化イットリウムなどのセラミック材料で形成されてよい。枠体４は、多孔質材料で形成されてよい。枠体４は、酸化アルミニウム、酸化チタン、酸化ジルコニウム又は酸化イットリウムなどの金属酸化物を含む粉末を混合した樹脂材料で形成されてよい。枠体４は、これらの材料に限られず、種々の材料で形成されてよい。
【００７１】
枠体４は、素子基板２の主面２Ａに、例えば、樹脂、ろう材又は半田などを介して、接続される。枠体４は、複数の発光素子３と間隔を空けて、複数の発光素子３を取り囲むように素子基板２の主面２Ａ上に設けられる。枠体４は、内壁面が、素子基板２の主面２Ａから遠ざかる程、外方に向かって広がるように傾斜して設けられている。内壁面は、複数の発光素子３が発光する光を反射させる反射面として機能する。内壁面は、例えば、タングステン、モリブデン、又はマンガンなどの金属材料で形成される金属層と、金属層を被覆し、ニッケル又は金などの金属材料で形成されるめっき層とを含んでよい。めっき層は、複数の発光素子３が発光する光を反射する。
【００７２】
枠体４の内壁面の形状は、平面視において、円形状であってよい。内壁面の形状が円形状であることによって、枠体４は、複数の発光素子３が発光する光を略一様に、外方に向かって反射させることができる。枠体４の内壁面の傾斜角度は、素子基板２の主面２Ａに対して、例えば、５５度以上７０度以下の角度に設定されていてよい。
【００７３】
封止部材５は、素子基板２及び枠体４で囲まれる内側の空間に、枠体４で囲まれる内側の空間の上部の一部を残して充填されている。封止部材５は、複数の発光素子３を封止するとともに、複数の発光素子３が発光する光を透過させる。封止部材５は、例えば、光透過性を有する材料で形成されてよい。封止部材５は、例えば、シリコーン樹脂、アクリル樹脂若しくはエポキシ樹脂などの光透過性を有する絶縁樹脂材料、又は光透過性を有するガラス材料、などで形成されてよい。封止部材５の屈折率は、例えば、１．４以上１．６以下に設定されていてよい。
【００７４】
波長変換部材６は、３６０ｎｍ〜４３０ｎｍの波長領域にピーク波長を有する光を、６００ｎｍ〜７００ｎｍの波長領域にピーク波長を有する光に変換する第１蛍光体６１を備える。また、波長変換部材６は、３６０ｎｍ〜４３０ｎｍの波長領域にピーク波長を有する光を、５００ｎｍ〜６００ｎｍの波長領域にピーク波長を有する光に変換する第２蛍光体６２を備える。また、波長変換部材６は、３６０ｎｍ〜４３０ｎｍの波長領域にピーク波長を有する光を、４５０ｎｍ〜５５０ｎｍの波長領域にピーク波長を有する光に変換する第３蛍光体６３を備える。また、波長変換部材６は、３６０ｎｍ〜４３０ｎｍの波長領域にピーク波長を有する光を、４００ｎｍ〜５００ｎｍの波長領域にピーク波長を有する光に変換する第４蛍光体６４を備える。
【００７５】
波長変換部材６は、発光素子３が発光する光を、６００ｎｍ〜７００ｎｍ、５００ｎｍ〜６００ｎｍ、４５０ｎｍ〜５５０ｎｍ、及び４００ｎｍ〜５００ｎｍの波長領域それぞれにピーク波長を有する光、に変換することが可能な位置に設けられている。図６、図７及び図８に示す例では、波長変換部材６は、素子基板２及び枠体４で囲まれる内側の空間の上部の一部に、封止部材５の上面に沿って設けられている。この例に限定されることなく、例えば、波長変換部材６は、素子基板２及び枠体４で囲まれる内側の空間の上部からはみ出すように設けられてもよい。
【００７６】
波長変換部材６は、透光性を有する部材と、第１蛍光体６１と、第２蛍光体６２と、第３蛍光体６３と、第４蛍光体６４と、を備える。波長変換部材６は、透光性を有する部材に、第１蛍光体６１、第２蛍光体６２、第３蛍光体６３、及び第４蛍光体６４が含有されることで形成される。透光性を有する部材に含有される蛍光体の含有量は、適宜設定される。第１蛍光体６１、第２蛍光体６２、第３蛍光体６３、及び第４蛍光体６４は、透光性を有する部材に略均一に分散される。発光素子３が発光する光は、封止部材５を介して、波長変換部材６の内部へと入射する。
【００７７】
透光性を有する部材は、例えば、フッ素樹脂、シリコーン樹脂、アクリル樹脂若しくはエポキシ樹脂などの透光性を有する絶縁樹脂、又は透光性を有するガラス材料、などで形成されてよい。
【００７８】
図１０は、蛍光体の蛍光スペクトルの一例を示す図である。図１０のグラフにおいて、横軸及び縦軸はそれぞれ、蛍光体が発光する光の波長及び相対光強度を表している。
【００７９】
蛍光体は、図１０に例示されるように６００ｎｍ〜７００ｎｍの波長領域に第１ピーク波長λ１を有する第１蛍光体６１を含んでよい。第１蛍光体６１は、例えば、赤色を示す蛍光体である。第１蛍光体６１は、例えば、Ｙ２Ｏ２Ｓ：Ｅｕ、Ｙ２Ｏ３：Ｅｕ、ＳｒＣａＣｌＡｌＳｉＮ３：Ｅｕ２＋、ＣａＡｌＳｉＮ３：Ｅｕ、又はＣａＡｌＳｉ（ＯＮ）３：Ｅｕなどを用いることができる。
【００８０】
蛍光体は、図１０に例示されるように５００ｎｍ〜６００ｎｍの波長領域に第２ピーク波長λ２を有する第２蛍光体６２を含んでよい。第２蛍光体６２は、例えば、緑色を示す蛍光体である。第２蛍光体６２は、例えば、ＳｒＳｉ２（Ｏ，Ｃｌ）２Ｎ２：Ｅｕ、（Ｓｒ，Ｂａ，Ｍｇ）２ＳｉＯ４：Ｅｕ２＋、又はＺｎＳ：Ｃｕ，Ａｌ、Ｚｎ２ＳｉＯ４：Ｍｎなどを用いることができる。
【００８１】
蛍光体は、図１０に例示されるように４５０ｎｍ〜５５０ｎｍの波長領域に第３ピーク波長λ３を有する第３蛍光体６３を含んでよい。第３蛍光体６３は、例えば、青緑色を示す蛍光体である。第３蛍光体６３は、例えば、（Ｓｒ，Ｂａ，Ｃａ）５（ＰＯ４）３Ｃｌ：Ｅｕ，Ｓｒ４Ａｌ１４Ｏ２５：Ｅｕなどを用いることができる。
【００８２】
蛍光体は、図１０に例示されるように４００ｎｍ〜５００ｎｍの波長領域に第４ピーク波長λ４を有する第４蛍光体６４を含んでよい。第４蛍光体６４は、例えば、青色を示す蛍光体である。第４蛍光体６４は、例えば、ＢａＭｇＡｌ１０Ｏ１７：Ｅｕ、又は（Ｓｒ，Ｃａ，Ｂａ）１０（ＰＯ４）６Ｃｌ２：Ｅｕ，（Ｓｒ，Ｂａ）１０（ＰＯ４）６Ｃｌ２：Ｅｕなどを用いることができる。
【００８３】
波長変換部材６は、上述の第１蛍光体６１、第２蛍光体６２、第３蛍光体６３、第４蛍光体６４の他、例えば、青緑色を示し、４５０ｎｍ〜５５０ｎｍの波長領域にピーク波長を有する蛍光体を含んでいてもよい。青緑色を示す蛍光体としては、例えば、（Ｓｒ，Ｂａ，Ｃａ）５（ＰＯ４）３Ｃｌ：Ｅｕ，Ｓｒ４Ａｌ１４Ｏ２５：Ｅｕなどが挙げられる。また、波長変換部材６は、上述の第１蛍光体６１、第２蛍光体６２、第３蛍光体６３、第４蛍光体６４の他、例えば、近赤外領域の色を示し、６８０ｎｍ〜８００ｎｍの波長領域にピーク波長を有する蛍光体を含んでいてもよい。近赤外領域の色を示す蛍光体としては、例えば、３Ｇａ５Ｏ１２：Ｃｒなどが挙げられる。
【００８４】
第１発光装置１０−１、第２発光装置１０−２、第３発光装置１０−３は、それぞれ所定の波長変換部材６を備えることによって、例えば、水深に依存して変化する自然光のスペクトルに近似する発光スペクトルを有する光を発光できる。つまり、発光装置１０は、高い演色性を有しつつ、水生生物２０００にかかるストレスを低減させることが可能な光を発光できる。
【００８５】
＜発光装置の発光スペクトル＞
次に、図１１、図１２及び図１３を参照して、本実施形態に係る複数の発光装置１０の発光スペクトルについて説明する。発光スペクトルは、例えば、分光測光装置などにより分光法を用いて測定される。図１１、図１２及び図１３のグラフにおいて、横軸及び縦軸はそれぞれ、発光装置１０が発光する光の波長及び相対光強度を表している。相対光強度は、ピーク波長における光強度を１とした場合に、ピーク波長における光強度に対する光強度の比として表される。
【００８６】
図１１は、第１発光装置１０−１が、水深２ｍ〜８ｍで太陽光に照らされている環境を再現する光を発光する場合における発光スペクトルを示している。
【００８７】
第１発光装置１０−１が発光する光の発光スペクトルは、３６０ｎｍ〜４３０ｎｍの波長領域に第１ピーク波長λ１を有する。第１発光装置１０−１が発光する光の発光スペクトルは、４３０ｎｍ〜４７５ｎｍの波長領域に第２ピーク波長λ２を有する。第１発光装置１０−１が発光する光の発光スペクトルは、４８０ｎｍ〜５３０ｎｍの波長領域に第３ピーク波長λ３を有する。
【００８８】
第１発光装置１０−１が発光する光の発光スペクトルは、第１ピーク波長λ１における光強度を１とした場合に、第２ピーク波長λ２における相対光強度が１．０〜１．３である。第１発光装置１０−１が発光する光の発光スペクトルは、第１ピーク波長λ１における光強度を１とした場合に、第３ピーク波長λ３における相対光強度が１．０〜１．３である。
【００８９】
即ち、第１発光装置１０−１は、紫色領域に第１ピーク波長λ１を有し、青色領域に第２ピーク波長λ２を有し、黄色領域に第３ピーク波長λ３を有し、赤色領域にかけて緩やかに相対光強度が低くなる発光スペクトルの光を発光する。この光は、例えば、水深２ｍ〜８ｍの海中に届く太陽光と、略同様の発光スペクトルであり、メダカなどの水生生物２０００の成育に適している。
【００９０】
図１２は、第２発光装置１０−２が、水深８ｍ〜３０ｍで太陽光に照らされている環境を再現する光を発光する場合における発光スペクトルを示している。
【００９１】
第２発光装置１０−２が発光する光の発光スペクトルは、３６０ｎｍ〜４３０ｎｍの波長領域に第１ピーク波長λ１を有する。第２発光装置１０−２が発光する光の発光スペクトルは、４３０ｎｍ〜４７５ｎｍの波長領域に第２ピーク波長λ２を有する。第２発光装置１０−２が発光する光の発光スペクトルは、４９０ｎｍ〜５４０ｎｍの波長領域に第３ピーク波長λ３を有する。
【００９２】
第２発光装置１０−２が発光する光の発光スペクトルは、第１ピーク波長λ１における光強度を１とした場合に、第２ピーク波長λ２における相対光強度が１．１〜１．４である。第２発光装置１０−２が発光する光の発光スペクトルは、第１ピーク波長λ１における光強度を１とした場合に、第３ピーク波長λ３における相対光強度が１．１〜１．４である。
【００９３】
即ち、第２発光装置１０−２は、紫色領域に第１ピーク波長λ１を有し、青色領域に第２ピーク波長λ２を有し、黄色領域に第３ピーク波長λ３を有し、赤色領域にかけて緩やかに相対光強度が低くなる発光スペクトルの光を発光する。この光は、例えば、水深８ｍ〜３０ｍの海中に届く太陽光と、略同様の発光スペクトルであり、サンゴなどの水生生物２０００の成育に適している。
【００９４】
図１３は、第３発光装置１０−３が、水深３０ｍ〜１００ｍで太陽光に照らされている環境を再現する光を発光する場合における発光スペクトルを示している。
【００９５】
第３発光装置１０−３が発光する光の発光スペクトルは、３６０ｎｍ〜４３０ｎｍの波長領域に第１ピーク波長λ１を有する。第３発光装置１０−３が発光する光の発光スペクトルは、４８０ｎｍ〜５２０ｎｍの波長領域に第２ピーク波長λ２を有する。
【００９６】
第３発光装置１０−３が発光する光の発光スペクトルは、第１ピーク波長λ１における光強度を１とした場合に、第２ピーク波長λ２における相対光強度が１．２以上である。
【００９７】
即ち、第３発光装置１０−３は、紫色領域に第１ピーク波長λ１を有し、青色領域に第２ピーク波長λ２を有し、緑色領域から赤色領域にかけて緩やかに相対光強度が低くなる発光スペクトルの光を発光する。この光は、例えば、水深３０ｍ〜１００ｍの海中に届く太陽光と、略同様の発光スペクトルであり、エビなどの水生生物２０００の成育に適している。
【００９８】
本実施形態に係る発光装置１０によれば、図１１、図１２及び図１３に示すように、複数の発光装置１０が発光する光のスペクトルを、水深に依存して変化する自然光のスペクトルに効果的に近付けることができる。これにより、水生生物２０００にかかるストレスを低減させることが可能となる。
【００９９】
＜変形例＞
本実施形態において、波長変換部材６が蛍光体として、第１蛍光体６１、第２蛍光体６２、第３蛍光体６３、及び第４蛍光体６４のうち少なくとも１つを含むとして説明してきた。波長変換部材６は、その他の種類の蛍光体を含んでもよい。波長変換部材６は、１種類の蛍光体を含む構成であってもよいし、２種類以上の蛍光体を含む構成であってもよい。
【０１００】
本実施形態では、配線基板３０が、蓋部材３００の表面に設けられる場合を一例に挙げて説明しているが、これに限定されない。例えば、配線基板３０は、蓋部材３００の裏面に設けられてもよい。
【０１０１】
本実施形態では、複数の発光装置１０が、３種類である場合を一例に挙げて説明しているが、３種類に限定されるものではない。
【０１０２】
本実施形態では、制御装置２０が、第１発光装置１０−１、第２発光装置１０−２及び第３発光装置１０−３のいずれか１つに駆動電流を供給する場合、他の２つの発光装置１０に駆動電流を供給しないとしたが、これに限定されない。例えば、制御装置２０は、複数の発光装置１０に駆動電流を供給し、各発光装置１０が発光する光を混合して調色制御することも可能である。照明装置１００は、光を調色制御することによって、水深に応じた水中環境を再現する光を射出してよい。照明装置１００は、光を調色制御することによって、太陽光が入射する水中環境を再現する光を射出してよい。太陽の高度が異なる場合、太陽光のスペクトルは異なる。照明装置１００は、太陽の高度に応じて光を調色制御してもよい。照明装置１００は、光を調色制御することによって、月光が入射する水中環境を再現する光を射出してよい。月の高度、又は、月齢が異なる場合、月光のスペクトルは異なる。照明装置１００は、月の高度、又は、月齢に応じて光を調色制御してもよい。
【０１０３】
本実施形態において「第１」及び「第２」などの記載は、当該構成を区別するための識別子である。本開示における「第１」及び「第２」などの記載で区別された構成は、当該構成における番号を交換することができる。例えば、第１蛍光体は、第２蛍光体と識別子である「第１」と「第２」とを交換することができる。識別子の交換は同時に行われる。識別子の交換後も当該構成は区別される。識別子は削除してよい。識別子を削除した構成は、符号で区別される。本開示における「第１」及び「第２」などの識別子の記載のみに基づいて、当該構成の順序の解釈、小さい番号の識別子が存在することの根拠に利用してはならない。
【０１０４】
本実施形態に係る構成を説明する図は、模式的なものである。図面上の寸法比率などは、現実のものと必ずしも一致しない。
【０１０５】
上述の実施形態は代表的な例として説明したが、本開示の趣旨及び範囲内で、多くの変更及び置換ができることは当業者に明らかである。本開示に係る構成は、上述の実施形態によって制限するものと解するべきではなく、特許請求の範囲から逸脱することなく、種々の変形又は変更が可能である。本発明は上述の実施形態の例に限定されるものではなく、数値などの種々の変形は可能である。本実施形態における特徴部の種々の組み合わせは上述の実施形態の例に限定されるものではない。
【符号の説明】
【０１０６】
２              素子基板
２Ａ            主面
３              発光素子
４              枠体
５              封止部材
６              波長変換部材
１０            発光装置
１０−１        第１発光装置
１０−２        第２発光装置
１０−３        第３発光装置
２０            制御装置
３０            配線基板
６１            第１蛍光体
６２            第２蛍光体
６３            第３蛍光体
６４            第４蛍光体
１００          照明装置
２００          水槽
３００          蓋部材
４００          マジックミラー
１０００        アクアリウム
２０００        水生生物
【図１Ａ】
2020184411.tif 000003
【図１Ｂ】
2020184411.tif 000004
【図２】
2020184411.tif 000005
【図３Ａ】
2020184411.tif 000006
【図３Ｂ】
2020184411.tif 000007
【図４】
2020184411.tif 000008
【図５】
2020184411.tif 000009
【図６】
2020184411.tif 000010
【図７】
2020184411.tif 000011
【図８】
2020184411.tif 000012
【図９】
2020184411.tif 000013
【図１０】
2020184411.tif 000014
【図１１】
2020184411.tif 000015
【図１２】
2020184411.tif 000016
【図１３】
2020184411.tif 000017